(57)【要約】【課題】ターバンへの弾性力の付与機能や、ターバン素材やターバン形状等を工夫することにより目尻部分やこめかみ部分の皮膚を有効に緊張させてたるみやしわを解消させると共に、前髪も頭髪の束ねも有効に行えるターバンを提供する【解決手段】  環状帯体よりなるターバン本体を上下多層部分とし、上下多層部分にそれぞれ異なる弾性係数を有する弾性体を縫入すると共にターバン本体の環状帯体幅員は、略首の長さとし、しかもターバン本体の素材は、パイル地の織布を使用したことを特徴とする髪束ね用ターバン【選択図】図１
2012228323.tif 000002
【特許請求の範囲】
【請求項１】
環状帯体よりなるターバン本体を上下多層部分とし、上下多層部分にそれぞれ異なる弾性係数を有する弾性体を縫入すると共にターバン本体の環状帯体幅員は、略首の長さとし、しかもターバン本体の素材は、パイル地の織布を使用したことを特徴とする髪束ね用ターバン。
【請求項２】
上下多層部分を上縁部、中央部、下縁部とし、上縁部に最大の弾性係数を有する弾性体を縫入したことを特徴とする請求項１に記載の髪束ね用ターバン。
【請求項３】
下縁部から中央部、上縁部に至るに従って、漸次弾性係数を大きくした弾性体を縫入したことを特徴とする請求項１又は請求項２に記載の髪束ね用ターバン。
【請求項４】
環状帯体よりなるターバン本体を下方に向かって拡開状のテーパー形状とし、上方にいくに従って、漸次縮経状としたことを特徴とする請求項１〜請求項３のいずれか１項に記載の髪束ね用ターバン。
【請求項５】
ターバンの環状帯体を形成するに際し、中途を切断して予め両端縁を自由端とした帯体の両端縁部分を接合して環状帯体としたことを特徴とする請求項１〜請求項４のいずれか１項に記載の髪束ね用ターバン。
【請求項６】
予め両端縁を自由端とした帯体の両端縁部分を取外し自在に接合したことを特徴とする請求項５に記載の髪束ね用ターバン。
【発明の詳細な説明】
【技術分野】
【０００１】
この発明は、女性が洗顔時やメークアップ時等に髪を後ろに束ねるために使用し、同時にこめかみや目尻部分の皮膚を吊り上げて皮膚のたるみやしわを取り去る効果も有する髪束ね用ターバンに関する。
【背景技術】
【０００２】
従来、家庭や、美容院や、エステティックサロン等で洗顔やフェイストリートメントや化粧等を行う際に女性の頭髪を後頭部に束ねる用具として通常、環ゴムや環ゴムを織布で囲繞したゴム布リングが使用されている。
【０００３】
しかし、これらの用具は、長髪を束ねる際には有効に使用できるものの、特に前髪が短い場合には後頭部に束ねることができず、前髪が洗顔時等に前に垂れて環ゴム等を有効に使用できない欠点があった。
【０００４】
そこで、最近一定の幅員を有した環状帯のターバンを使用する方法が開発されている。
これは、帯状の弾性ターバンを頭から被り、そのまま首部までずり降ろして首部を囲繞した状態とし、次いで、ターバンを顔の皮膚を上方に引っ張るようにしてそのまま頭髪まで引き上げていき、ターバンの下縁部が前髪の生え際部分にまでくるようにして、弾性力を利用してターバン本体中に頭髪を束ねておくことにより、前髪を含めて頭髪前半部分を後方に束ねるものである。
【０００５】
かかるターバンによる髪を束ねる手法は、下記先行技術文献に開示されている。
【先行技術文献】
【特許文献】
【０００６】
【非特許文献１】株式会社アイリーン，“リフトアップターバン（登録商標）“[online]、 [平成２３年３月１６日検索]、インターネット<http://turban.zero-alive.net/>、リフトアップターバン（登録商標）
【発明の概要】
【発明が解決しようとする課題】
【０００７】
かかるターバンを髪束ね用具として使用するに際しては、ターバン自体に弾性力を付与すべく、ターバン本体中に環ゴムを縫入している。
【０００８】
しかし、ターバンの形状や弾性力の付与の仕方によって髪の束ね保持力に差が出るため、髪の密度や長さや毛髪の太さ等の個人差がある場合、何人にも使用できる汎用のものを提供できない欠点があり、特に顔の目尻部分やこめかみ部分の皮膚を引き上げる機能との相乗効果を上げるためには、ターバンの形状や弾性力の付与の態様に種々工夫が必要であることが判明した。
【０００９】
本発明者は、ターバンへの弾性力の付与機能や、ターバン素材やターバン形状等を工夫することにより目尻部分やこめかみ部分の皮膚を有効に緊張させてたるみやしわを解消させると共に、前髪も頭髪の束ねも有効に行えるターバンを提供することができるようになった。
【課題を解決するための手段】
【００１０】
この発明は、環状帯体よりなるターバン本体を上下多層部分とし、上下多層部分にそれぞれ異なる弾性係数を有する弾性体を縫入すると共にターバン本体の環状帯体幅員は、略首の長さとし、しかもターバン本体の素材は、パイル地の織布を使用したことを特徴とする髪束ね用ターバンを提供せんとする。
【００１１】
この発明は、上下多層部分を上縁部、中央部、下縁部とし、上縁部に最大の弾性係数を有する弾性体を縫入したことを特徴とする。
【００１２】
この発明は、下縁部から中央部、上縁部に至るに従って、漸次弾性係数を大きくした弾性体を縫入したことを特徴とする。
【００１３】
また、この発明は、環状帯体よりなるターバン本体を下方に向かって拡開状のテーパー形状とし、上方にいくに従って、漸次縮経状としたことを特徴とする。
【００１４】
また、この発明は、ターバンの環状帯体を形成するに際し、中途を切断して予め両端縁を自由端とした帯体の両端縁部分を接合して環状帯体としたことを特徴としている。
【００１５】
また、予め両端縁を自由端とした帯体の両端縁部分を取外し自在に接合したことを特徴としている。
【発明の効果】
【００１６】
請求項１及び請求項２の発明によれば、環状帯体よりなるターバン本体に上下多層にわたってそれぞれ弾性係数の異なる弾性体を縫入しているために毛髪を後ろに束ねてターバン本体で包んだ際、額の前髪の生え際付近を強く把持し、順次毛髪の後方にいくに従って緩やかに把持して毛髪の散乱を防止し、洗顔時の邪魔にならないようにすることが可能となる効果を有する。
【００１７】
更には、額の前髪の生え際を強く把持して毛髪の毛先側に向けて引っ張ることになるため毛髪の生え際より下方の、特にこめかみや目尻部分の皮膚を緊張して引き上げることになり、こめかみや目尻部分のしわを緊張させて、いわゆるしわ取り効果や皮膚のたるみ防止になり、更には、洗顔時にはしわの内側部分に塗入した化粧品等をしわの緊張により皮膚表面に押し出し洗顔のクレンジング効果を一層向上することができる効果が出る。
【００１８】
更にはパイル地を用いるために毛髪の滑動を防止し、束ねやすくなり、かつ、洗顔時の水滴や飛散水の吸収も良好となり、ターバンとしての使用を容易とする効果がある。
【００１９】
更には、ターバン本体の幅員を略首の長さとしているため、最初に頭から覆って首部まで引き降ろす際に顔部分がターバン本体の上方に露出することになり、その後のターバン本体の引き上げと共に髪の束ね作業が目視がしやすく、毛髪の束ね作業の効率化と正確性を向上できる効果がある。
【００２０】
しかも、ターバン本体の上縁部に最大弾性係数の弾性体を縫入したので可及的に束ねる毛髪の毛先側を強く緊張することができ、額の生え際から毛髪の全体にわたっての括り方を確実に実行できる効果がある。
【００２１】
請求項３の発明によれば、ターバン本体の下縁部から中央部、上縁部にわたって漸次弾性係数を大としたので、額の前髪の生え際よりその毛髪後方を強く緊張して引っ張ることができるので、こめかみや目尻部分のしわの引き上げ、緊張機能が増大し、しわ取りたるみ取りに大きく貢献することができる効果がある。
【００２２】
請求項４の発明によれば、ターバン本体を下方に向った拡開状のテーパー形状としたので、ターバン本体を装着して毛髪を束ねた際にターバン本体の上下三層に縫入した弾性体の弾性係数と共に上縁部程毛髪の緊張力が強くなり、毛髪束ね効果と共に、こめかみ周辺の皮膚の緊張力を増加することができ、しかもターバン本体の装着時に下方に向かった拡開状であるため頭部よりすっぽりと被せて首部まで引き下げしやすくなる効果がある。
【００２３】
請求項５及び請求項６の発明によれば、環状帯体のターバンを中途で切断して、切断した両端縁を自由端とし、切断した自由端の両端縁部分を接合自在としたので、環状帯体中に弾性体を縫入してターバン本体を製造するに際し、特に弾性体の縫入作業が帯状態のままで行え、その後両端縁を接合するだけでよいため当初より環状帯体として弾性体を縫入するに比し製造工程が簡便となり、更には、切断した自由端の両端縁の接合位置を変位させることによりターバン本体の環の大きさを調節することができ、毛髪の量や頭部の大きさに係らず、更にはこめかみ周辺の皮膚の状態に応じて調節して使用できる効果がある。
【図面の簡単な説明】
【００２４】
【図１】本実施形態における髪束ね用ターバンの全体構成を示した斜視図である。
【図２】本実施形態における髪束ね用ターバンの装着方法を説明する説明図である。
【図３】本実施形態における髪束ね用ターバンの変形例を示した斜視図である。
【図４】本実施形態における髪束ね用ターバンの取付構造を示した説明図である。
【図５】図４とは別の取付構造を示した説明図である。
【発明を実施するための形態】
【００２５】
この発明の実施例を図面に基づき詳説する。
【００２６】
図１に示すように、Ａは、ターバン本体であり、ターバン本体Ａはパイル地の織布を主体とした環状帯体により構成されている。
パイル地の織布を主体としたために環状帯体の内側は滑動しにくく、毛髪表面を滑りにくくしており、かつ、水分の吸収効率がよく、毛髪に付着した水分を可及的に給水しやすくしている。
【００２７】
同時に頭部から被る際に、環状帯体の内側と顔皮膚面との柔軟な接触を生起する。
このターバン本体Ａは、上下三層部分にそれぞれ弾性係数の異なる弾性体ａ，ｂ，ｃを縫入している。
【００２８】
すなわち、ターバン本体Ａの環状帯体は上縁部ａ１、中央部ｂ１、下縁部ｃ１の三層に区分されており、それぞれの層に弾性体ａ，ｂ，ｃが縫入されている。
【００２９】
しかも、弾性体ａ，ｂ，ｃは、それぞれ弾性係数の異なるゴム体としており、特に上縁部ａ１に縫入する弾性体ａが最も弾性係数が高く、下層にいくに従って漸次弾性係数が低くなるようにしている。
【００３０】
その理由は、毛髪を後ろに束ねる状態とすべくターバン本体Ａを毛髪束に装着した場合に、毛髪の先端側を強く緊張し、下縁部ｃ１より引き上げた目尻部分やこめかみ部分の皮膚を緊張しやすくする。
【００３１】
ターバン本体Ａの幅員Ｄは、人間の大人の略首長さとしている。
【００３２】
このような幅員Ｄとすることにより、ターバン本体Ａを頭部から被って首まで引降した際に、首を囲繞する状態とし、顔部分が露見した状態となるようにしている。
【００３３】
ターバン本体Ａは上記のように構成されており、図２に示すように、ターバン本体Ａを装着するに際しては、まず、下縁部ｃ１から頭部に被せてそのまま引き降し、ターバン本体Ａが首部を囲繞した状態とする。
【００３４】
次いで徐々にターバン本体Ａを引き上げていき毛髪を後方に束ねながらターバン本体Ａで束ねた毛髪を後方へくくる。
【００３５】
そして、ターバン本体Ａの下縁部ｃ１は、前髪の生え際を緊張すると共に、中央部ｂ１は後方に束ねた毛髪の頭頂部分を緊張し、上縁部ａ１は毛髪の更に後方束ね部分を強く緊張する。
【００３６】
このように束ねた毛髪Ｈにおける前髪の額生え際から束ねた毛髪後方に向けてターバン本体Ａにより徐々に強く緊張することになるため、毛髪Ｈは全体的に後方に引っ張られていく。
【００３７】
そして、毛髪Ｈを後方平引っ張ることにより毛髪Ｈの生え際も後方に引っ張られ同時にこめかみ部分や目尻部分も毛髪Ｈの生え際方向へ引っ張られる。
【００３８】
すなわち、こめかみ部分や目尻部分Ｎの皮膚も引っ張られ緊張状態となる。
【００３９】
かかる状態では、こめかみ部分や目尻部分Ｎは、皮膚緊張状態となり、しわも緊張されて解消し、しわの間に埋入した化粧料なども皮膚表面に露呈することになり、洗顔により洗い流しが容易となり、洗顔効率を向上することができる。同時にターバン本体Ａを用いてこのような毛髪の緊張を習慣的に再々行うことにより、こめかみ部分や目尻部分Ｎのしわ取り効果を奏することができる。
【００４０】
なお、弾性体は必ずしも三層の上縁部ａ１、中央部ｂ１、下縁部ｃ１に縫入する必要はなく、二層でも三層でもよい。
【００４１】
他の実施例として、図３に示すように、環状帯体のターバン本体Ａを同面視で略台形状とし、下方に向かって拡開状のテーパー形状とすることにより三層の弾性体ａ，ｂ，ｃを同じ弾性係数としても、ターバン本体Ａの上縁部ａ１にいくに従って漸次弾性係数を高くすることができ、同時に頭部から被って首部まで引き降す際に、下方が拡開状となっているため被りやすくなる効果がある。
【００４２】
他の実施例として、図４に示すように、環状帯体の中途を切断して、両端縁１，２を自由縁とし、両端縁を取外し自在の接合可能としている。
【００４３】
従って、環状帯体の形状に比し、携帯しやすく、接合位置を変更することにより、ターバン本体Ａの弾性係数も変更可能となり、使用者の毛髪の量や頭部の大きさに最適のターバン本体Ａとすることが可能となる。
【００４４】
なお、図４及び図５に示すように、接合するための接合具３としては、帯体の両端縁１，２にマジックテープ（登録商標）３ａ，３ｄを貼設したり、ホック３ｃ，３ｄを取付けたり、雌雄係合片（図示せず）を設けたりすることができる。
【００４５】
しかも、接合位置を変更するためには、上記のマジックテープ（登録商標）３ａ，３ｄやホック３ｃ，３ｄや雌雄係合片を位置を変えて複数個設けることにより、接合位置を変更してターバン本体Ａの環状帯体の長さを変更可能としている。
【符号の説明】
【００４６】
Ａ  ターバン本体
ａ，ｂ，ｃ  弾性体
ａ１  上縁部
ｂ１  中央部
ｃ１  下縁部
Ｄ  幅員
Ｈ  毛髪
Ｎ  こめかみ部分や目尻部分
１，２  両端縁
３  接合具
【図１】
2012228323.tif 000003
【図２】
2012228323.tif 000004
【図３】
2012228323.tif 000005
【図４】
2012228323.tif 000006
【図５】
2012228323.tif 000007